(57)【要約】【課題】  耐久性が良好であって多機能の運動補助器具を提供する。【解決手段】  この運動補助器具１は、足裏を乗せるための踏台２と、実質的に円柱状をなす踏台支持部材３と、床に置かれて使用され、踏台２の端部を揺動可能に結合する踏台結合部４６及び踏台２を複数の所定角度に支持可能なように踏台支持部材３を支持する受け部４７、４８を有する基台４と、を備え、受け部４７、４８は踏台支持部材３と同じ曲率の円弧状の踏台角度調整用凹所Ａ、Ｂ、Ｃと足裏マッサージ用凹所Ｄを有する。【選択図】  図１
2007061320.tif 000002
【特許請求の範囲】
【請求項１】
足裏を乗せるための踏台と、
踏台を所定角度に支持するためのものであって実質的に円柱状をなす踏台支持部材と、
床に置かれて使用され、踏台の端部を揺動可能に結合する踏台結合部及び踏台を複数の所定角度に支持可能なように踏台支持部材を支持する受け部を有する基台と、
を備えることを特徴とする運動補助器具。
【請求項２】
請求項１に記載された運動補助器具において、
前記基台は、前枠部材、左枠部材、右枠部材、後枠部材にて形成されるとともに、前記踏台結合部を別体に形成して後枠部材の内側面に取り付け、前記受け部を別体に形成して左枠部材と右枠部材の内側面にそれぞれ取り付けられていることを特徴とする運動補助器具。
【請求項３】
請求項２に記載された運動補助器具において、
前記後枠部材の上側面と内側面との角の近傍には、それを覆う緩衝部材が装着されていることを特徴とする運動補助器具。
【請求項４】
請求項１乃至３のいずれかに記載された運動補助器具において、
前記踏台は、２個の踏板から成ることを特徴とする運動補助器具。
【請求項５】
請求項１乃至４のいずれかに記載された運動補助器具において、
前記受け部は、踏台支持部材と実質的に同じ曲率である複数の踏台角度調整用凹所を有することを特徴とする運動補助器具。
【請求項６】
請求項５に記載された運動補助器具において、
前記受け部は、踏台結合部側に、踏台支持部材と実質的に同じ曲率である足裏マッサージ用凹所を有することを特徴とする運動補助器具。
【請求項７】
請求項１乃至５のいずれかに記載された運動補助器具において、
前記基台は、受け部とは別に踏台結合部側に踏台支持部材を据えることができる足裏マッサージ用受け部材を有することを特徴とする運動補助器具。
【発明の詳細な説明】
【技術分野】
【０００１】
本発明は、足の運動を補助するために好適な運動補助器具に関する。
【背景技術】
【０００２】
この種の運動補助器具は、例えば特許文献１に記載されており、その典型的な構成例を図１０に示す。この運動補助器具１０１は、足裏を乗せるための平板状の踏台１０２と、踏台１０２を所定角度θに支持する平板状の踏台支持部材１０３と、床に置かれて使用される基台１０４と、を備えている。基台１０４は、裏面が床に接する平板状の底部材１４１と、底部材１４１の後方端部において垂直に立設される後方部材１４２と、を有する。踏台支持部材１０３の位置合わせ及び支持のためには、底部材１４１の表面に凹所（図示せず）が設けられ、場合によっては踏台支持部材１０３の短手方向の一方側端部に突起部（図示せず）が設けられる。このような構成により、踏台１０２に乗って踵がつま先よりも低くなるようにすることで、足の後方の筋肉や腱を伸ばして柔軟性を得ることに寄与することができる。
【０００３】
【特許文献１】特開昭５９−１１５０６４号公報
【発明の開示】
【発明が解決しようとする課題】
【０００４】
ところで、踏台支持部材１０３には人間のほぼ全体重がかかる。そのため、踏台支持部材１０３における底部材１４１との接触付近或いは踏台１０２との接触付近には、大きな応力が局部的にかかる。従って、この部分における耐久性の確保を配慮することが特に重要である。
【０００５】
また、このような運動補助器具は、多機能であることが望ましい。
【０００６】
本発明は、係る事由に鑑みてなされたものであり、その目的は、耐久性が良好であって多機能の運動補助器具を提供することにある。
【課題を解決するための手段】
【０００７】
上記目的を達成するために、請求項１に記載の運動補助器具は、足裏を乗せるための踏台と、踏台を所定角度に支持するためのものであって実質的に円柱状をなす踏台支持部材と、床に置かれて使用され、踏台の端部を揺動可能に結合する踏台結合部及び踏台を複数の所定角度に支持可能なように踏台支持部材を支持する受け部を有する基台と、を備えることを特徴とする。
【０００８】
請求項２に記載の運動補助器具は、請求項１に記載された運動補助器具において、前記基台は、前枠部材、左枠部材、右枠部材、後枠部材にて形成されるとともに、前記踏台結合部を別体に形成して後枠部材の内側面に取り付け、前記受け部を別体に形成して左枠部材と右枠部材の内側面にそれぞれ取り付けられていることを特徴とする。
【０００９】
請求項３に記載の運動補助器具は、請求項２に記載された運動補助器具において、前記後枠部材の上側面と内側面との角の近傍には、それを覆う緩衝部材が装着されていることを特徴とする。
【００１０】
請求項４に記載の運動補助器具は、請求項１乃至３のいずれかに記載された運動補助器具において、前記踏台は、２個の踏板から成ることを特徴とする。
【００１１】
請求項５に記載の運動補助器具は、請求項１乃至４のいずれかに記載された運動補助器具において、前記受け部は、踏台支持部材と実質的に同じ曲率である複数の踏台角度調整用凹所を有することを特徴とする。
【００１２】
請求項６に記載の運動補助器具は、請求項５に記載された運動補助器具において、前記受け部は、踏台結合部側に、踏台支持部材と実質的に同じ曲率である足裏マッサージ用凹所を有することを特徴とする。
【００１３】
請求項７に記載の運動補助器具は、請求項１乃至５のいずれかに記載された運動補助器具において、前記基台は、受け部とは別に踏台結合部側に踏台支持部材を据えることができる足裏マッサージ用受け部材を有することを特徴とする。
【発明の効果】
【００１４】
本発明の運動補助器具によれば、所定角度に踏台を支持する踏台支持部材を、実質的に円柱状としたので、応力が局部的にかかることがなく耐久性を良好にすることができる。また、円柱状の踏台支持部材を利用して足裏のマッサージも行えるものとなる。
【発明を実施するための最良の形態】
【００１５】
以下、本発明を実施するための最良の形態を図面を参照しながら説明する。本発明の望ましい実施形態に係る運動補助器具１は、後に詳述する図３に示すように、足裏を乗せるための踏台２と、踏台２を所定角度θに支持するための踏台支持部材３と、床に置かれて使用される基台４と、を備えている。所定角度θは、水平面（実質的には床面）に対する踏台２の傾きの角度である。図１は上記の各部材を示すものであり、（ａ）は踏台２、（ｂ）は踏台支持部材３、（ｃ）は基台４である。
【００１６】
踏台２は、左右の足用の２個の平板状の踏板２ａ、２ｂから成る。２個の踏板２ａ、２ｂは、例えばそれぞれ約９ｃｍ×３０ｃｍの大きさである。踏板２ａ、２ｂの裏面には、図２に示すように、突起部２１ａ、２１ｂが設けられている。突起部２１ａ、２１ｂは、基台４の後述する踏台結合部４６の２個の孔４６ａ、４６ｂに嵌合するためのものである。なお、踏台２を左右の足が乗せられる１個の踏板で構成してもよいが、踏板を２個にすると、突起部２１ａ、２１ｂを孔４６ａ、４６ｂに嵌合する作業が容易になり、また後述のように、間伐材を利用して製造するなどの場合、高価な寸法の大きい木材を必要としない。
【００１７】
踏台支持部材３は、踏台２を所定角度θに支持するためのものであり、例えば直径が約６ｃｍで長さが約１８ｃｍの実質的に円柱状をなしている。この踏台支持部材３は、乾燥によるひび割れ防止用に側面に直線状の溝を設けてもよく、これらを含めて実質的に円柱状と称する。
【００１８】
基台４は、それぞれ平板状の前枠部材４１、左枠部材４２、右枠部材４３、後枠部材４４にて、平面視ロ字状に形成されるとともに、略角柱状の踏台結合部４６を後枠部材４４の内側面に、平板状の受け部４７、４８を左枠部材４２と右枠部材４３の内側面にそれぞれ取り付けられている。例えば、前枠部材４１は約２２ｃｍ×４ｃｍで厚さが約２ｃｍ、左枠部材４２と右枠部材４３は約３１ｃｍ×４ｃｍで厚さが約２ｃｍ、後枠部材４４は約２２ｃｍ×５．５ｃｍで厚さが約２ｃｍであり、基台４の平面視の外郭は約２２ｃｍ×３５ｃｍの長方形である。つまり、前枠部材４１と後枠部材４４が長方形の短辺、左枠部材４２と右枠部材４３が長辺を形成し、後枠部材４４は他の各部材４１、４２、４３より約１．５ｃｍだけ突出している。なお、踏台結合部４６と受け部４７、４８については後述する。
【００１９】
後枠部材４４の上側面（表面）と内側面との角の近傍には、それを覆う柔らかな緩衝部材４５が装着されている。内側面には、図３で示す運動補助器具１の使用態様における踏台２の後枠部材４４側端部の位置よりも僅かに上まで装着される。この緩衝部材４５は、使用方法により、踵、つま先、又は足指の付け根への衝撃を緩和するためのものである。緩衝部材４５の材質は例えばウレタンスポンジであり、その厚さは例えば約１ｃｍである。
【００２０】
前述した踏台結合部４６は、踏台２の端部を受けてこれを揺動可能に結合するものであり、後枠部材４４の内側面の下部に取り付けられている。踏台結合部４６は、その上側面に、前述した踏台２の突起部２１ａ、２１ｂを嵌合するための２個の孔４６ａ、４６ｂを有する。踏台２の突起部２１ａ、２１ｂを２個の孔４６ａ、４６ｂに嵌合すると、揺動可能なように踏台２が踏台結合部４６に結合される。なお、踏台結合部４６は、別体に形成して後枠部材４４に取り付けられているが、後枠部材４４と一体的に形成してもよい。但し、別体の方が、間伐材を利用して製造するなどの場合、加工が容易である。
【００２１】
前述した受け部４７、４８は、踏台２を複数の所定角度θに支持可能なように踏台支持部材３を支持するものであり、左枠部材４２と右枠部材４３の内側面にそれぞれ取り付けられている。この受け部４７、４８は、同形状であり、踏台支持部材３に密着可能なように、踏台支持部材３と実質的に同じ曲率である４個の円弧状の凹所Ａ、Ｂ、Ｃ、Ｄが設けられている。これらの４個の凹所Ａ、Ｂ、Ｃ、Ｄは踏台結合部４６に対して実質的に垂直に直列に設けられている。前枠部材４１側の３個の凹所Ａ、Ｂ、Ｃは踏台２の角度を調整するための踏台角度調整用凹所であり、踏台結合部４６側の残りの１個の凹所Ｄは足裏マッサージ用凹所である。なお、受け部４７、４８は、別体に形成して左枠部材４２と右枠部材４３に取り付けられているが、左枠部材４２と右枠部材４３とに一体的に形成してもよい。但し、別体の方が、間伐材を利用して製造するなどの場合、加工が容易である。４個の凹所Ａ、Ｂ、Ｃ、Ｄの深さ及び位置については後述する。
【００２２】
また、基台４は、裏面が床面に接するようにして使用されるので、裏面の複数箇所には例えばゴム製の滑り止め（図示せず）が装着されている
【００２３】
次に、図３に示す運動補助器具１の使用態様について詳述する。この使用態様を構築するには、踏台２を成す踏板２ａ、２ｂの突起部２１ａ、２１ｂを踏台結合部４６の２個の孔４６ａ、４６ｂに嵌合させ、踏台支持部材３を受け部４７、４８の踏台角度調整用凹所Ａ、Ｂ、Ｃの所望のいずれかに据え、踏台２を踏台支持部材３の上に置く。こうすると、踏台２は、所望の所定角度θを成すことになる。前述のように踏台支持部材３と踏台角度調整用凹所Ａ、Ｂ、Ｃは実質的に同じ曲率であるので密着する。また、踏台支持部材３は左枠部材４２と右枠部材４３に挟まれるので、左右にずれることが防止される。
【００２４】
受け部４７、４８の３個の踏台角度調整用凹所Ａ、Ｂ、Ｃについて、踏台支持部材３が据えられる凹所Ａ、Ｂ、Ｃが前枠部材４１に近づくにつれて踏台２の角度は小さくなる。それぞれの凹所Ａ、Ｂ、Ｃの位置や深さにより、例えば、前枠部材４１から最も遠い凹所Ｃでは約３０度、中間の凹所Ｂでは約２５度、最も近い凹所Ａでは約１４度になる。
【００２５】
ここで着目すべきは、床面に対して所定角度θに踏台２を支持する踏台支持部材３には人間のほぼ全体重がかかるが、踏台支持部材３内部における応力の方向は常に中心に向かっているということである。その結果、応力が局部的にかかることがなく、応力は踏台支持部材３全体で吸収される。従って、運動補助器具１の耐久性を良好にすることができる。また、踏台支持部材３が据えられる踏台角度調整用凹所Ａ、Ｂ、Ｃには常に面に垂直に応力がかかるので、この部分においても応力が局部的にかかることがない。従って、運動補助器具１の耐久性を更に良好にすることができる。
【００２６】
図４乃至６は、図３に示した運動補助器具１の使用態様を応用した使用方法を示すものである。
【００２７】
図４に示す使用方法では、踏台２に乗って踵を緩衝部材４５の内側面に付け、踵がつま先よりも低くなるようにする。そうすることで、足の後方の筋肉や腱を伸ばして柔軟性を得ることに寄与することができる。踏台支持部材３が据えられる踏台角度調整用凹所Ａ、Ｂ、Ｃを変えて踏台２の角度を変えることで、足の後方の筋肉や腱を伸ばす力を調整することができる。また、緩衝部材４５は踵の後方を支え、踵が痛くならないように衝撃を緩和して保護する。
【００２８】
図５に示す使用方法では、踏台２に乗ってつま先を緩衝部材４５の内側面に付け、踵がつま先よりも高くなるようにする。バランスを取るためには、骨盤や背骨などを真っ直ぐにしなければならないので、その結果、それらの矯正に役立つことになる。踏台支持部材３が据えられる踏台角度調整用凹所Ａ、Ｂ、Ｃを変えて踏台２の角度を変えることで、バランスを取るために骨盤や背骨などに入れる力を調整することができる。また、緩衝部材４５はつま先の前方を支え、つま先が痛くならないように衝撃を緩和して保護する。
【００２９】
図６に示す使用方法では、踏台２に乗って足指の裏側が緩衝部材４５の内側面に付くようにする。そうすることで、足指の付け根を伸ばして柔軟にすることができる。また、足指の付け根への刺激は自律神経を整える効果もある。踏台支持部材３が据えられる踏台角度調整用凹所Ａ、Ｂ、Ｃを変えて踏台２の角度を変えることで、足指の付け根にかかる力を調整することができる。また、緩衝部材４５の上側面と内側面は足指が痛くならないように衝撃を緩和して保護する。
【００３０】
次に、図７に示す運動補助器具１の他の使用態様について詳述する。この使用態様を構築するには、踏台支持部材３を受け部４７、４８の足裏マッサージ用凹所Ｄに据える。足裏マッサージ用凹所Ｄは、前述のように、３個の踏台角度調整用凹所Ａ、Ｂ、Ｃよりも踏台結合部４６側に設けられている。足裏マッサージ用凹所Ｄの位置と深さは、そこに踏台支持部材３を据えたときに、踏台支持部材３の最高点の位置が緩衝部材４５の内側面から例えば約６ｃｍのところにあり、踏台支持部材３の最高点の高さが緩衝部材４５の上側面とほぼ同じになるようにする。なお、足裏マッサージ用凹所Ｄが設けられている位置は、図３に示す運動補助器具１の使用態様では、踏台２の角度が急になり過ぎるので踏台角度調整用凹所Ａ、Ｂ、Ｃとしては用いられない位置である。
【００３１】
図８は、図７に示した運動補助器具１の使用態様を応用した使用方法を示すものである。図８に示す使用方法では、踏台支持部材３に土踏まずが当たるように乗って踵を緩衝部材４５の上側面に置き、土踏まずが踏台支持部材３から圧力を受けるようにする。足踏みをしたり少し前後に動いたりすると更に効果的である。そうすることで、足裏のマッサージが行われ、血行が増進して疲労回復に役立つ。特に、図４乃至６に示した使用方法の運動後に、行うと更に効果的である。
【００３２】
次に、運動補助器具１の材料について説明する。運動補助器具１は、基台４の後枠部材４４に装着される緩衝部材４５と基台４の裏面に装着される滑り止めの他は、木材を用いて製造ができる。運動補助器具１に木材を用いると、十分な強度が確保でき、適度な重量になる。木材の原木としては大きなものは必要とされない。従って、他に利用が難しい杉などの間伐材を原木として用いることが可能であり、環境問題解決にも貢献できる。なお、前述の図面には木材を用いた場合の木工用ネジを示している。
【００３３】
以上説明したように、この運動補助器具１は、所定角度に踏台２を支持する踏台支持部材３が実質的に円柱状をなしているので、耐久性が良好である。また、踏台支持部材３を利用して足裏のマッサージにも使用することができる。また、簡単な構造であるのでコストを抑制することも可能である。
【００３４】
以上、本発明の望ましい実施形態に係る運動補助器具について説明したが、本発明は、実施形態に記載したものに限られることなく、特許請求の範囲に記載した事項の範囲内でのさまざまな設計変更が可能である。例えば、受け部４７、４８の踏台角度調整用凹所Ａ、Ｂ、Ｃの数は３個には限られない。但し、踏台２の角度が調整できるので２個以上が望ましい。また、コストは若干高くなるが、図９に示すように、受け部４７、４８とは別に踏台結合部４６側にそれとの間に踏台支持部材３を据えることができる足裏マッサージ用受け部材４９を設けることも可能である。
【図面の簡単な説明】
【００３５】
【図１】本発明の望ましい実施形態に係る運動補助器具が備える部品を示すもので、（ａ）は踏台、（ｂ）は踏台支持部材、（ｃ）は基台の斜視図である。
【図２】同上の踏台の裏面を示す斜視図である。
【図３】同上の運動補助器具の使用態様を示す斜視図である。
【図４】同上の運動補助器具の使用態様を応用した使用方法を示す斜視図である。
【図５】同上の運動補助器具の使用態様を応用した別の使用方法を示す斜視図である。
【図６】同上の運動補助器具の使用態様を応用した更に別の使用方法を示す斜視図である。
【図７】同上の運動補助器具の他の使用態様を示す斜視図である。
【図８】同上の運動補助器具の他の使用態様を応用した使用方法を示す斜視図である。
【図９】同上の運動補助器具の変形例を示す斜視図である。
【図１０】従来の典型的な運動補助器具を示す斜視図である。
【符号の説明】
【００３６】
１  運動補助器具
２  踏台
２ａ、２ｂ  踏板
３  踏台支持部材
４  基台
４１  前枠部材
４２  左枠部材
４３  右枠部材
４４  後枠部材
４５  緩衝部材
４６  踏台結合部
４７、４８  受け部
４９  足裏マッサージ用受け部材
【図１】
2007061320.tif 000003
【図２】
2007061320.tif 000004
【図３】
2007061320.tif 000005
【図４】
2007061320.tif 000006
【図５】
2007061320.tif 000007
【図６】
2007061320.tif 000008
【図７】
2007061320.tif 000009
【図８】
2007061320.tif 000010
【図９】
2007061320.tif 000011
【図１０】
2007061320.tif 000012